(57)【要約】      （修正有）【課題】簡便かつ円滑に手書き入力が行える情報端末装置を提供する。【解決手段】液晶表示装置１２ａに画像を表示する表示部２２と、液晶表示装置１２ａに対する手書き入力を受け付けるデジタイザセンサ１２ｃと、手書き入力に用いられるデジタイザペン１３と、デジタイザペン１３を用いる開始動作を検出して手書きアプリケーションを起動する制御部２８と、を備える。【選択図】図３
2016053823.tif 000002
【特許請求の範囲】
【請求項１】
表示面に画像を表示する表示部と、
前記表示面に対する手書き入力を受け付ける入力受付部と、
前記手書き入力に用いられる筆記具と、
前記手書き入力に前記筆記具を用いる開始動作を検出して手書きアプリケーションを起動する制御部と、を備える、
ことを特徴とする情報端末装置。
【請求項２】
請求項１に記載の情報端末装置において、
前記制御部は、前記手書きアプリケーションの起動前に前記表示面に表示されている画像を取得し、取得した画像を前記手書き入力の背景画像として前記表示面に表示させる、
ことを特徴とする情報端末装置。
【請求項３】
請求項１または２に記載の情報端末装置において、
前記制御部は、前記入力受付部に対する前記筆記具の近接を前記開始動作として検出して、前記手書きアプリケーションを起動させる、
ことを特徴とする情報端末装置。
【請求項４】
請求項３に記載の情報端末装置において、
前記筆記具と前記入力受付部は、電磁式のデジタイザを構成する、
ことを特徴とする情報端末装置。
【請求項５】
請求項１または２に記載の情報端末装置において、
前記筆記具を収容する収容部と、
前記収容部に対する前記筆記具の収容状態を検出する収容状態検出部を備え、
前記制御部は、前記筆記具が前記収容部から取り出されたことを前記開始動作として検出して、前記手書きアプリケーションを起動させる、
ことを特徴とする情報端末装置。
【請求項６】
請求項５に記載の情報端末装置において、
前記制御部は、前記筆記具が前記収容部に収容されたことに応じて前記手書きアプリケーションを終了させる、
ことを特徴とする情報端末装置。
【請求項７】
請求項６に記載の情報端末装置において、
前記制御部は、前記手書きアプリケーションを終了させる際に前記表示面に表示されている画像を記憶部に記憶させる、
ことを特徴とする情報端末装置。
【発明の詳細な説明】
【技術分野】
【０００１】
本発明は、手書き入力デバイスを備えたタブレット端末等の情報端末装置に関する。
【背景技術】
【０００２】
タブレット端末等の情報端末装置では、指でタッチ操作するタッチパネルを備えるものの他、デジタイザペンで手書き入力が可能なデバイスを備えるものが知られている（たとえば、特許文献１）。
【０００３】
かかる情報端末装置では、手書き入力のためのアプリケーション（以下、手書きアプリケーション）が起動されることによって、デジタイザペンによる手書き入力が受け付けられ、表示部に表示された内容に対して手書きの内容が重ねられて描画される。
【先行技術文献】
【特許文献】
【０００４】
【特許文献１】特開２００６−２０９７８１号公報
【発明の概要】
【発明が解決しようとする課題】
【０００５】
上記の情報端末装置では、使用者は、手書き入力を行う前に手書きアプリケーションを起動する必要がある。たとえば、使用者は、タッチパネルに対するタッチ操作によって手書きアプリケーションを起動した後に、デジタイザペンを収納部から取り出して手書き操作を行うといった煩雑な手順を踏まなければならない。
【０００６】
そこで、本発明は、簡便かつ円滑に手書き入力が行える情報端末装置を提供することを目的とする。
【課題を解決するための手段】
【０００７】
本発明の主たる態様に係る情報端末装置は、表示面に画像を表示する表示部と、前記表示面に対する手書き入力を受け付ける入力受付部と、前記手書き入力に用いられる筆記具と、前記手書き入力に前記筆記具を用いる開始動作を検出して手書きアプリケーションを起動する制御部と、を備える。
【０００８】
本態様に係る情報端末装置によれば、筆記具を用いる開始動作が検出されると、自動的に手書きアプリケーションが起動されるため、使用者は、簡便かつ円滑に手書き入力を行うことができる。
【０００９】
本態様に係る情報端末装置において、前記制御部は、前記手書きアプリケーションの起動前に前記表示面に表示されている画像を取得し、取得した画像を前記手書き入力の背景画像として前記表示面に表示させるよう構成され得る。こうすると、筆記具を用いる開始動作時に表示されている画像が表示面に表示されるため、使用者は、画像の取得、読み込みといった手順を省くことができ、より円滑に手書き入力を行うことができる。また、通常、使用者は、手書きアプリケーションを起動する際に表示されていた画像にマーキングやメモを書き込みたいものと思われる。よって、手書き入力の際に直前の画像が表示されることによって、使用者は、円滑に、手書き入力を進めることができる。
【００１０】
本態様に係る情報端末装置において、前記制御部は、前記入力受付部に対する前記筆記具の近接を前記開始動作として検出して、前記手書きアプリケーションを起動させるよう構成され得る。この場合、前記筆記具と前記入力受付部は、電磁式のデジタイザにより構成され得る。この構成によれば、使用者は、手書き入力の際に用いる筆記具によって、円滑かつ簡便に、手書きアプリケーションを起動させることができる。
【００１１】
また、本態様に係る情報端末装置は、前記筆記具を収容する収容部と、前記収容部に対する前記筆記具の収容状態を検出する収容状態検出部を備えるよう構成され得る。この場合、前記制御部は、前記筆記具が前記収容部から取り出されたことを前記開始動作として検出して、前記手書きアプリケーションを起動させるよう構成され得る。この構成によれば、筆記具を収容部から取り出すだけで、手書きアプリケーションが起動されるため、使用者は、円滑に手書き入力を進めることができる。
【００１２】
本態様に係る情報端末装置において、前記制御部は、前記筆記具が前記収容部に収容されたことに応じて前記手書きアプリケーションを終了させるよう構成され得る。こうすると、使用者は、円滑に、直前に起動していたアプリケーションの利用に戻ることができる。
【００１３】
また、本態様に係る情報端末装置において、前記制御部は、前記手書きアプリケーションを終了させる際に前記表示面に表示されている画像を記憶部に記憶させるよう構成され得る。こうすると、画像の保存にかかる操作を省くことができ、円滑に手書き入力を終了することができる。
【発明の効果】
【００１４】
以上のとおり、本発明によれば、簡便かつ円滑に手書き入力が行える情報端末装置を提供することができる。
【００１５】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態に記載されたものに何ら制限されるものではない。
【図面の簡単な説明】
【００１６】
【図１】実施の形態に係る情報端末装置の外観を示す図である。
【図２】実施の形態に係るデジタイザペンとデジタイザペン収容部の構成を示す一部拡大図である。
【図３】実施の形態に係る情報端末装置の構成を示すブロック図である。
【図４】実施の形態に係るデジタイザペンの近接に応じた手書きアプリケーションの実行処理を示すフローチャートである。
【図５】実施の形態に係る手書きアプリケーションの画面例を模式的に示す図である。
【図６】比較例に係る手書きアプリケーションの起動時の画面遷移例を模式的に示す図である。
【図７】比較例に係る手書きアプリケーションの起動時の画面遷移例を模式的に示す図である。
【図８】実施の形態に係る手書きアプリケーションの起動時の画面遷移例を模式的に示す図である。
【図９】変更例に係る情報端末装置の構成を示すブロック図である。
【図１０】変更例に係るデジタイザペンとデジタイザペン収容部の断面を示す模式図である。
【図１１】変更例に係るデジタイザペンの収容状態に応じた手書きアプリケーションの実行処理を示すフローチャートである。
【図１２】変更例に係る手書きアプリケーションの起動時の画面遷移例を模式的に示す図である。
【図１３】変更例に係る手書きアプリケーションの終了時の画面遷移例を模式的に示す図である。
【発明を実施するための形態】
【００１７】
以下、本発明の実施の形態について、図面を参照して説明する。
【００１８】
図１（ａ）、（ｂ）は、情報端末装置１の外観を示す図である。図１（ａ）は正面図、図１（ｂ）は背面図である。本実施の形態において、情報端末装置１は、タブレット端末である。この他、情報端末装置１は、携帯電話機やノートパソコン等、他の種類の情報端末装置であっても良い。
【００１９】
図１（ａ）、（ｂ）に示す如く、情報端末装置１は、筐体１１と、タッチパネル１２と、デジタイザペン１３と、フロントカメラ１４と、操作キー１５と、入出力端子１６と、リアカメラ１７とを備える。
【００２０】
タッチパネル１２は、液晶表示装置１２ａ（図３参照）の表示面上に、指によるタッチ入力を検出するための透明なタッチパッド１２ｂ（図３参照）と、液晶表示装置１２ａ（図３参照）の表示面下に、デジタイザペン１３による手書き入力を検出するためのデジタイザセンサ１２ｃ（図３参照）が重ねられた構成となっている。デジタイザセンサ１２ｃは、デジタイザペン１３とともに、電磁式のデジタイザを構成する。液晶表示装置１２ａには、各種の画像が表示される。液晶表示装置１２ａは、液晶パネルと、液晶パネルを照明するＬＥＤバックライトを含む。タッチパッド１２ｂは、静電容量式、感圧式、光検出式等、種々の方式のタッチパッドが用いられ得る。デジタイザセンサ１２ｃには、各座標位置にセンサコイルが配されている。
【００２１】
デジタイザペン１３には、内部に巻線コイルとコンデンサが配されている。デジタイザセンサ１２ｃは、一定周期で各センサコイルに交流電流を流す。デジタイザペン１３が液晶表示装置１２ａの表面に接近すると、デジタイザセンサ１２ｃの各センサコイルに流れる交流電流によって、デジタイザペン１３の巻線コイルに誘導起電力が生じる。デジタイザペン１３では、この誘導起電力によって、巻線コイルとコンデンサからなるＬＣ共振回路に電流が流れる。こうして巻線コイルに電流が流れると、デジタイザセンサ１２ｃ側のセンサコイルのうち、デジタイザペン１３付近のセンサコイルに誘導起電力が生じる。デジタイザセンサ１２ｃは、最も大きな誘導起電力が生じたセンサコイルを特定し、このセンサコイルの座標位置を示す座標信号を出力する。
【００２２】
デジタイザペン１３は、液晶表示装置１２ａ（図３参照）の表面に押し当てられると、デジタイザペン１３の内部に配された巻線コイルが縮むように構成されている。デジタイザペン１３が液晶表示装置１２ａの表面に押し当てられると、巻線コイルが縮み、デジタイザセンサ１２ｃのセンサコイルを流れる電流量が変化する。デジタイザセンサ１２ｃは、この電流量の変化に応じて、デジタイザペン１３が接触したことを示す接触信号を出力する。
【００２３】
デジタイザペン１３が液晶表示装置１２ａ（図３参照）の表面から離されると、巻線コイルの縮みが解消されるため、デジタイザセンサ１２ｃのセンサコイルに流れる電流量が変化する。デジタイザセンサ１２ｃは、この電流量の変化に応じて、デジタイザペン１３が離間したことを示す離間信号を出力する。
【００２４】
図２（ａ）、（ｂ）は、デジタイザペン１３とデジタイザペン収容部１３ａの構成を示す一部拡大図である。
【００２５】
図２（ａ）に示すように、情報端末装置１の筐体１１の角付近にデジタイザペン収容部１３ａが設けられている。デジタイザペン収容部１３ａには、略円形の孔部１３ｂと、切り欠き１３ｃが設けられている。デジタイザペン収容部１３ａの孔部１３ｂは、デジタイザペン１３の外径よりもやや大きい。デジタイザペン収容部１３ａの切り欠き１３ｃの幅は、デジタイザペン１３の凸部１３ｄの幅と略同じである。デジタイザペン１３は、先端をデジタイザペン収容部１３ａの孔部１３ｂに挿し込むことで、図２（ｂ）に示すようにデジタイザペン収容部１３ａに収容される。この状態で、デジタイザペン収容部１３ａの切り欠き１３ｃに、デジタイザペン１３の凸部１３ｄが嵌め込まれる。これにより、デジタイザペン１３は、デジタイザペン収容部１３ａに収容される。このように、デジタイザペン１３は、デジタイザペン収容部１３ａに出し入れが可能となっている。
【００２６】
図１（ａ）、（ｂ）に戻り、フロントカメラ１４は、タッチパネル１２の表示面に対向する領域を撮像する。タッチパネル１２に表示された画像を参照する使用者の顔が、フロントカメラ１４によって撮像される。操作キー１５は、電源キー等のハードキーを含み、筐体１１の右側面に配置される。入出力端子１６は、電源端子等の端子を含み、筐体１１の左側面に配置される。リアカメラ１７は、情報端末装置１の背面側の風景等を撮像する際に用いられる。
【００２７】
図３は、情報端末装置１の構成を示すブロック図である。
【００２８】
図３に示す如く、情報端末装置１は、操作入力部２１と、表示部２２と、スピーカー２３と、撮像部２４と、電源供給部２５と、二次電池２６と、無線通信部２７と、制御部２８とを備える。
【００２９】
操作入力部２１は、図１に示すタッチパネル１２のタッチパッド１２ｂと、デジタイザセンサ１２ｃと、デジタイザペン１３と、操作キー１５とを含む。表示部２２は、図１に示すタッチパネル１２の液晶表示装置１２ａを含む。スピーカー２３は、図１に示す筐体１１内に収容されている。撮像部２４は、図１に示すフロントカメラ１４とリアカメラ１７とを含む。電源供給部２５は、二次電池２６の充電状態を監視し、入出力端子１６に接続された商用電源を二次電池２６に供給する。これにより、二次電池２６が充電される。
【００３０】
無線通信部２７は、電波を送受信するアンテナや、送受信の際に信号を変調および復調する回路等を含む。無線通信部２７は、制御部２８から入力される通信のための信号を無線信号に変換し、変換された無線信号を、アンテナを介して基地局や他の通信装置等の通信先へ送信する。さらに、無線通信部２７は、アンテナを介して受信した無線信号を制御部２８が利用できる形式の信号へ変換し、変換した信号を制御部２８へ出力する。
【００３１】
制御部２８は、ＣＰＵ（Central Processing Unit）と、メモリ等の記憶部２８ａとを含み、記憶部２８ａに保持されたプログラムに従って各部を制御する。記憶部２８ａは、制御用のプログラムを保持する他、制御部２８による制御の際のワーク領域としても利用される。記憶部２８ａに保持されたプログラムによって、制御部２８に、近接検出部２８ｂと、手書きアプリ実行部２８ｃの機能が付与される。
【００３２】
近接検出部２８ｂは、デジタイザセンサ１２ｃからの出力に基づいて、デジタイザペン１３がデジタイザセンサ１２ｃに近接したことを検出する。上記のように、デジタイザペン１３の巻線コイルに誘導起電力が生じる距離までデジタイザペン１３がデジタイザセンサ１２ｃに近接すると、デジタイザセンサ１２ｃから座標信号が出力される。近接検出部２８ｂは、デジタイザセンサ１２ｃから座標信号を受信するとデジタイザペン１３がデジタイザセンサ１２ｃに近接したと検出する。
【００３３】
手書きアプリ実行部２８ｃは、手書きアプリケーションを起動、停止し、デジタイザセンサ１２ｃによって出力されるデジタイザペン１３の接触信号、座標信号、離間信号に応じた手書き機能を実行する。
【００３４】
手書きアプリケーションは、たとえば、表示部２２に表示された任意の画像の上に重ねて手書きをすることができるノートアプリケーションが含まれる。ノートアプリケーションの場合、デジタイザペン１３の接触信号が検出されると、座標信号に応じて、液晶表示装置１２ａに対する線の描画が開始される。その後、デジタイザペン１３の離間信号が検出されるまで、デジタイザペン１３の移動により出力された座標信号に応じて線が描画される。デジタイザペン１３の離間信号が検出されると、線の描画が終了される。画像の保存処理、または手書きアプリケーションの終了処理が実行されることにより、手書きの線や文字などの画像が背景画像とともに記憶部２８ａに記憶される。
【００３５】
本実施の形態では、デジタイザペン１３が近接すると、自動的に手書きアプリケーションが起動される。
【００３６】
図４は、デジタイザペン１３の近接に応じた手書きアプリケーションの起動処理を示すフローチャートである。
【００３７】
図４を参照して、制御部２８は、デジタイザペン１３がデジタイザセンサ１２ｃに近接したか否かを判定する（Ｓ１１）。具体的には、デジタイザセンサ１２ｃから座標信号が出力されたか否かによってデジタイザペン１３の近接が判定される。デジタイザペン１３が近接すると（Ｓ１１：ＹＥＳ）、制御部２８は、液晶表示装置１２ａに表示されている画像、すなわち、既に起動中のアプリケーションの画像をキャプチャ画像として取得し（Ｓ１２）、手書きアプリケーションを起動する（Ｓ１３）。制御部２８は、取得したキャプチャ画像を、手書き入力の際の背景画像として、手書きアプリケーション画面に表示させる（Ｓ１４）。
【００３８】
図５は、手書きアプリケーションの画面例を示す図である。
【００３９】
図５を参照して、手書きアプリケーション画面には、キャプチャ画像としてブラウザ画面が背景画像として表示されている。手書きアプリケーション画面には、パレットアイコンＰが配されている。パレットアイコンＰには、複数のカラーパレットＰ１と、手書き画像保存ボタンＰ２と、手書きアプリ終了ボタンＰ３が含まれている。カラーパレットＰ１がデジタイザペン１３によって押下されることにより、手書きする線の色が決定される。
【００４０】
図４に戻り、キャプチャ画像を手書きアプリケーション画面に表示させると、制御部２８は、手書き画像保存ボタンＰ２が押下されたか否かを判定する（Ｓ１５）。手書き画像保存ボタンＰ２が押下されない場合（Ｓ１５：ＮＯ）、制御部２８は、処理をＳ１７に進める。手書き画像保存ボタンＰ２が押下された場合（Ｓ１５：ＹＥＳ）、制御部２８は、そのときに液晶表示装置１２ａに表示されている画像、すなわち、キャプチャ画像に手書き画像が重ねられた画像を記憶部２８ａ（図３参照）に保存する（Ｓ１６）。そして、制御部２８は、手書きアプリ終了ボタンＰ３が押下されたか否かを判定する（Ｓ１７）。手書きアプリ終了ボタンＰ３が押下されていない場合（Ｓ１７：ＮＯ）、制御部２８は、処理をＳ１５に戻す。手書きアプリ終了ボタンＰ３が押下された場合（Ｓ１７：ＹＥＳ）、制御部２８は、手書きアプリケーションを終了する（Ｓ１８）。こうして、制御部２８は、デジタイザペン１３の近接に応じた手書きアプリケーションの起動処理を終了する。
【００４１】
図６（ａ）〜図７（ｃ）は、比較例に係る手書きアプリケーションの起動時の画面遷移例を模式的に示す図である。
【００４２】
図６（ａ）、（ｂ）では、液晶表示装置１２ａにウェブブラウザのアプリケーションの画面表示例が示されている。図６（ｃ）では、液晶表示装置１２ａにホームアプリケーションの画面表示例が示されている。図７（ａ）〜（ｃ）では、液晶表示装置１２ａに手書きアプリケーションの画面表示例が示されている。
【００４３】
図６（ａ）を参照して、ブラウザ画面には、ウェブページが表示される描画エリアと、各種機能を実行するためのボタンＢが含まれる。ボタンＢには、たとえば、画面キャプチャボタンＢ１、ブックマークボタンＢ２、検索ボタンＢ３、閉じるボタンＢ４が含まれる。画面キャプチャボタンＢ１は、ウェブブラウザに表示されている画面をキャプチャ画像として取得する機能を有する。ブックマークボタンＢ２は、ウェブブラウザが表示中のウェブページのＵＲＬを保存する機能を有する。検索ボタンＢ３は、ウェブブラウザが表示中のウェブページに含まれる文字列を検索する機能を有する。閉じるボタンＢ４は、ウェブブラウザを終了させる機能を有する。なお、ボタンＢの種類は一例であり、適宜変更され得る。
【００４４】
使用者は、興味のあるウェブページに対してメモを取りたい場合、まず、ブラウザ画面の画面キャプチャボタンＢ１をタップする。なお、情報端末装置１のハードウェアキーに画面キャプチャの機能が割り当てられている場合は、ハードウェアキーが押下されることにより、画面キャプチャが行われても良い。ブラウザ画面のキャプチャ画像が取得されると、キャプチャ画像は、記憶部２８ａ（図３参照）のワーク領域に記憶される。図６（ｂ）に示すように、使用者は、手書きアプリケーションを起動するためにブラウザ画面の閉じるボタンＢ４をタップする。これにより、ウェブブラウザが終了され、図６（ｃ）に示すようにホーム画面が表示される。
【００４５】
図６（ｃ）を参照して、ホーム画面には、各種のアプリケーションを起動するための起動用アイコンＨが含まれる。起動用アイコンＨには、たとえば、ブラウザアイコンＨ１、メールアイコンＨ２、ノートアイコンＨ３等が含まれる。使用者は、手書きアプリケーションを起動するため、ホーム画面のノートアイコンＨ３をタップする。これにより、図７（ａ）に示す手書きアプリケーション画面が表示される。
【００４６】
図７（ａ）を参照して、手書きアプリケーション画面には、手書きする線の色を決めるパレットアイコンＰと、キャプチャ画像を読み込むためのロードアイコンＬが含まれる。手書きアプリケーションが起動されると、まず、使用者は、デジタイザペン１３をデジタイザペン収容部１３ａ（図１（ｂ）参照）から取り出す。そして、使用者は、図７（ｂ）に示すように、デジタイザペン１３のペン先をロードアイコンＬに当てる。これにより、キャプチャ画像は、記憶部２８ａ（図２参照）のワーク領域から読み出されて手書きアプリケーション画面に表示される。
【００４７】
こうして、図７（ｃ）に示すように、使用者は、直前に表示されていたブラウザ画面の画像が表示された手書きアプリケーション画面に対して、デジタイザペン１３でメモを書き込むことができる。
【００４８】
このように、比較例の場合、使用者は、指でのタッチ操作を何度も繰り返しながら、手動で手書きアプリケーションを起動する必要があるため、煩雑な手順を踏まなければならない。
【００４９】
図８（ａ）〜（ｃ）は、本実施の形態に係るデジタイザペン１３の近接に応じた手書きアプリケーションの起動時の画面遷移例を模式的に示す図である。
【００５０】
図８（ａ）を参照して、使用者は、興味のあるウェブページに対してメモを取りたい場合、まず、デジタイザペン１３をデジタイザセンサ１２ｃに近付ける。これにより、図４に示すＳ１１の処理でＹＥＳと判定され、ブラウザ画面のキャプチャ画像が取得される（Ｓ１３）。そして、手書きアプリケーションが起動され（Ｓ１４）、図８（ｂ）に示すように、キャプチャ画像が表示される（Ｓ１６）。したがって、使用者は、図８（ｃ）に示すように、円滑にブラウザ画面の画像が表示された手書きアプリケーション画面に対して、デジタイザペン１３でメモを書き込むことができる。
【００５１】
＜実施形態の効果＞
以上、本実施の形態によれば、以下の効果が奏される。
【００５２】
図８（ａ）〜（ｃ）に示すように、デジタイザペン１３をデジタイザセンサ１２ｃに近付けるだけで、自動的に手書きアプリケーションが起動されるため、使用者は、円滑に手書き入力を行うことができる。特に、タッチパネルを有するタブレット端末の場合、アプリケーションの停止、起動には、図６（ａ）〜（ｃ）に示す比較例のように、指でのタッチ操作を伴うことがある。本実施の形態の場合、デジタイザペン１３を近接させるだけでよいため、指でのタッチ操作を省くことができ、より円滑に手書き入力を行うことができる。
【００５３】
また、デジタイザペン１３を近接させる前に表示されていたアプリケーションのキャプチャ画像が自動的に取得されて、手書きアプリケーション画面に表示される。このため、使用者は、キャプチャ画像の取得、キャプチャ画像の読み込みといった手間を省くことができ、より円滑に手書き入力を行うことができる。
【００５４】
＜変更例＞
上記実施の形態では、デジタイザセンサ１２ｃから出力される座標信号に基づいて、デジタイザペン１３が近接したか否かが判定されることにより、手書きアプリケーションが自動的に起動された。本変更例では、デジタイザペン１３がデジタイザペン収容部１３ａから取り出されたことが検出されて、手書きアプリケーションが自動的に起動される。
【００５５】
図９は、本変更例に係る情報端末装置１の構成を示すブロック図である。
【００５６】
本変更例では、デジタイザペン収容部１３ａに収容スイッチ１３ｅが設けられ、制御部２８に、収容状態検出部２８ｄの機能がさらに付与される。収容状態検出部２８ｄは、デジタイザペン収容部１３ａに設けられた収容スイッチ１３ｅにより、デジタイザペン１３の収容状態を検出する。
【００５７】
図１０（ａ）、（ｂ）は、デジタイザペン１３とデジタイザペン収容部１３ａの断面を示す模式図である。
【００５８】
図１０（ａ）に示すように、デジタイザペン収容部１３ａの孔部１３ｂの側面には、収容スイッチ１３ｅが設けられている。図１０（ｂ）に示すように、デジタイザペン１３がデジタイザペン収容部１３ａに収容されることにより、収容スイッチ１３ｅが押下される。
【００５９】
本変更例では、収容スイッチ１３ｅのオン、オフに応じて、手書きアプリケーションの起動、停止が制御される。
【００６０】
図１１は、デジタイザペン１３の収容状態に応じた手書きアプリケーションの起動処理を示すフローチャートである。図１１のフローチャートは、図４の処理を一部変更するものであり、Ｓ１１、Ｓ１５およびＳ１７の処理が省略され、Ｓ２１、Ｓ２２の処理が追加されている。
【００６１】
図１１を参照して、制御部２８は、デジタイザペン１３がデジタイザペン収容部１３ａ（図２（ａ）参照）から取り出されたか否かを判定する（Ｓ２１）。具体的には、デジタイザペン収容部１３ａ（図９（ａ）参照）に設けられた収容スイッチ１３ｅが押下されたか否かによって、デジタイザペン１３がデジタイザペン収容部１３ａに収容されているか否かが判定される。
【００６２】
デジタイザペン１３が取り出されると（Ｓ２１：ＹＥＳ）、制御部２８は、上記実施の形態と同様にして、手書きアプリケーションを起動して、キャプチャ画像を表示する（Ｓ１２〜Ｓ１４）。手書きアプリケーション画面にキャプチャ画像が表示されると、制御部２８は、デジタイザペン１３が収容されたか否かを判定する（Ｓ２２）。デジタイザペン１３が収容されると（Ｓ２２：ＹＥＳ）、制御部２８は、そのときに液晶表示装置１２ａに表示されている画像、すなわち、キャプチャ画像に手書き画像が重ねられた画像を記憶部２８ａ（図８参照）に保存する（Ｓ１６）。そして、制御部２８は、手書きアプリケーションを終了する（Ｓ１８）。こうして、制御部２８は、デジタイザペン１３の収容状態に応じた手書きアプリケーションの起動処理を終了する。
【００６３】
図１２（ａ）〜（ｃ）は、本変更例に係るデジタイザペン１３の収容状態に応じた手書きアプリケーションの起動時の画面遷移例を模式的に示す図である。
【００６４】
図１２（ａ）を参照して、使用者は、興味のあるウェブページに対して手書きアプリケーションを使ってメモを取りたい場合、まず、デジタイザペン１３をデジタイザペン収容部１３ａから取り出す。これにより、図１１に示すＳ２１の処理でＹＥＳと判定され、ブラウザ画面のキャプチャ画像が取得されて（Ｓ１２）、手書きアプリケーションが起動される（Ｓ１３）。図１２（ｂ）に示すように、デジタイザペン１３が液晶表示装置１２ａに当接する前に、自動的に手書きアプリケーション画面が表示され、さらに、手書きアプリケーション画面にキャプチャ画像が表示される。したがって、使用者は、図１２（ｃ）に示すように、円滑にウェブページの画像が表示された手書きアプリケーションに対してデジタイザペン１３でメモを書き込むことができる。
【００６５】
図１３（ａ）〜（ｃ）は、本変更例に係るデジタイザペン１３の収容状態に応じた手書きアプリケーションの終了時の画面遷移例を模式的に示す図である。
【００６６】
図１３（ａ）を参照して、使用者は、デジタイザペン１３をデジタイザペン収容部１３ａに収容する。これにより、図１１に示すＳ２２の処理でＹＥＳと判定され、図１３（ｂ）に示すように、手書きアプリケーション画面の手書き画像が保存される（Ｓ１６）。そして、手書き画像が保存された後、手書きアプリケーションが終了される（Ｓ１８）。これにより、図１３（ｃ）に示すように、手書きアプリケーションが起動される前に起動されていたアプリケーションの画面が表示される。
【００６７】
本変更例によれば、図１２（ａ）〜（ｃ）に示すように、デジタイザペン１３をデジタイザペン収容部１３ａから取り出すだけで、手書きアプリケーションが起動される。したがって、使用者は、円滑に手書き入力を行うことができる。
【００６８】
また、本変更例によれば、図１３（ａ）〜（ｃ）に示すように、デジタイザペン１３をデジタイザペン収容部１３ａに収容するだけで、手書きアプリケーションが終了される。したがって、使用者は、円滑に直前に起動していたアプリケーションの利用に戻ることができる。
【００６９】
また、本変更例によれば、手書きアプリケーションの手書き画像が自動的に保存されるため、画像の保存にかかる操作を省くことができ、円滑に手書き入力を終了することができる。
【００７０】
なお、本変更例では、上記のように、デジタイザペン１３が収容されると、自動的に、手書きアプリケーション画面に表示された画像が保存され、手書きアプリケーションが終了される。このため、手書きアプリケーションの起動時に表示されるパレットアイコンＰには、手書き画像保存ボタンＰ２と、手書きアプリ終了ボタンＰ３が含まれていない。
【００７１】
ただし、本変更例においても、パレットアイコンＰに、手書き画像保存ボタンＰ２を含めて、手書き画像保存ボタンＰ２に対する操作により、手書きアプリケーション画面に表示された画像が保存されても良い。この場合、手書き画像保存ボタンＰ２に対する操作がなされずに、デジタイザペン１３が収容されると、手書きアプリケーション画面に表示された画像が保存されることなく、手書きアプリケーションが終了される。さらに、パレットアイコンＰに、手書きアプリ終了ボタンＰ３が含まれても良い。この場合、手書きアプリ終了ボタンＰ３が操作されると、手書きアプリケーションが終了される。手書きアプリ終了ボタンＰ３が操作された場合、デジタイザペン１３の収容は、手書きアプリケーションの終了には関与しない。また、手書きアプリ終了ボタンＰ３が操作されることなく、デジタイザペン１３が収容された場合には、上記変更例と同様、手書きアプリケーションが終了される。
【００７２】
以上、本発明の実施の形態および変更例について説明したが、本発明は上記実施の形態および変更例に何ら制限されるものではない。
【００７３】
たとえば、上記実施の形態および変更例では、電磁式のデジタイザペン１３とデジタイザセンサ１２ｃが用いられたが、光学式の手書き入力デバイス等、その他の方式の手書き入力デバイスが用いられても良い。
【００７４】
また、上記実施の形態では、デジタイザペン１３が近接した時に起動していたアプリケーションの画面キャプチャの画像が取得されたが、表示中の画面キャプチャのみだけでなく、ウェブページのスクロール先やリンク先ページの画像が取得されても良い。また、画面全体の画像でなくても良く、たとえば、デジタイザペン１３の周辺の一部の領域のみの画像が取得されても良い。この他、デジタイザペン１３が近接した時に起動していたアプリケーションに関する画像が適宜用いられ得る。
【００７５】
また、上記実施の形態および変更例に示したアプリケーションおよび画面例は、一例であり、適宜、手書き入力に用いられるアプリケーションおよび画面例であれば適宜変更可能である。
【００７６】
この他、本発明の実施の形態は、特許請求の範囲に示された技術的思想の範囲内において、適宜、種々の変更が可能である。
【符号の説明】
【００７７】
１  …  情報端末装置
１２ａ  …  液晶表示装置（表示面）
１２ｃ  …  デジタイザセンサ（入力受付部）
１３  …  デジタイザペン（筆記具）
１３ａ  …  デジタイザペン収容部（収容部）
１３ｅ  …  収容スイッチ（収容状態検出部）
２２  …  表示部
２８  …  制御部
２８ａ  …  記憶部
【図１】
2016053823.tif 000003
【図２】
2016053823.tif 000004
【図３】
2016053823.tif 000005
【図４】
2016053823.tif 000006
【図５】
2016053823.tif 000007
【図６】
2016053823.tif 000008
【図７】
2016053823.tif 000009
【図８】
2016053823.tif 000010
【図９】
2016053823.tif 000011
【図１０】
2016053823.tif 000012
【図１１】
2016053823.tif 000013
【図１２】
2016053823.tif 000014
【図１３】
2016053823.tif 000015